(57)【要約】【課題】テープ等で封緘された天面板を切り開いて、容易に開封できるようにする。【解決手段】隣り合う側面板１及び端面板２を角筒状に連設して周壁を形成し、底面を閉じ、周壁の一方の端面板２の上端から延びる天面板７の先端部を周壁の他方の上部に係止して、天面を封緘する紙箱において、天面板７に設けた開封用の切目線９Ｒ，９Ｌを、天面板７の両側縁間に２本交差するように配置すると共に、各切目線９Ｒ，９Ｌの切断方向の始端側を天面板７の相対する側縁に位置させ、始端側から終端側へかけて途切れることなく切目線９Ｒ，９Ｌを切断できるように、切目線９Ｒ，９Ｌの切目の方向を設定する。また、切目線９Ｒ，９Ｌを、切断時に手前側となる方向から見て、膨出弧状となるように湾曲させる。利き手に応じて、手向きのよい切目線９Ｒ，９Ｌのいずれかに沿って天面板７を捲るように切断し、容易に開封できる。【選択図】図４
2011079549.tif 000002
【特許請求の範囲】
【請求項１】
隣り合う側面板(1)及び端面板(2)を角筒状に連設して周壁を形成し、底面を閉じ、周壁の一方の端面板(2)の上端から延びる天面板(7)の先端部を周壁の他方の上部に係止して、天面を封緘する紙箱において、前記天面板(7)に設けた開封用の切目線(9R,9L)を、天面板(7)の両側縁間に２本交差するように配置すると共に、各切目線(9R,9L)の切断方向の始端側を天面板(7)の相対する側縁に位置させ、始端側から終端側へかけて途切れることなく切目線(9R,9L)を切断できるように、切目線(9R,9L)の切目の方向を設定したことを特徴とする易開封紙箱。
【請求項２】
前記開封用の切目線(9R,9L)を、切断時に手前側となる方向から見て、膨出弧状となるように湾曲させたことを特徴とする請求項１に記載の易開封包装箱。
【発明の詳細な説明】
【技術分野】
【０００１】
この発明は、テープ等で封緘された天面板を切断して開封できるようにした易開封紙箱に関するものである。
【背景技術】
【０００２】
従来、図９に示すように、隣り合う各一対の側面板５１及び端面板５２を角筒状に連設して周壁を形成し、底面を閉じ、一方の側面板５１の上端から延びる天面板５３に、他方の側面板５１の上端から延びる天面板５４を重ねて、天面を封緘する紙箱において、天面板５４に開封用の切目線５５を設けたものが記載されている。
【０００３】
切目線５５は、鉤状の切目が断続するジッパ型とされ、天面板５４の先端から基端へかけて、累乗的に間隔が広がるように弧状に湾曲して２本配設されている。切目線５５の各切目の誘導部５５ａは、切目線５５の始端となる天面板５４の先端側へ向けられている。
【０００４】
この紙箱は、封緘に際して、２本の切目線５５の外側で天面板５３，５４が貼り合わされる。また、この紙箱を開封する際には、天面板５４の２本の切目線５５に挟まれた部分を、一方の側面板５１の方向から捲り上げることにより、切目線５５に沿って天面板５４を切断し、天面板５３を開いて箱内の商品を取り出す。
【先行技術文献】
【特許文献】
【０００５】
【特許文献１】特開２００５−１７８８７３号公報
【発明の概要】
【発明が解決しようとする課題】
【０００６】
しかしながら、上記のような紙箱は、天面板同士を糊貼りして封緘するものであり、一枚の天面板の先端部を周壁上部に係止して、テープやシール片等により封緘する形式の紙箱の開封性向上手段としては、この構成は適用できない。
【０００７】
そこで、この発明は、テープ等で封緘された紙箱の天面板を切り開いて、容易に開封できるようにすることを課題とする。
【課題を解決するための手段】
【０００８】
上記のような課題を解決するため、この発明は、隣り合う側面板及び端面板を角筒状に連設して周壁を形成し、底面を閉じ、周壁の一方の端面板の上端から延びる天面板の先端部を周壁の他方の上部に係止して、天面を封緘する紙箱において、前記天面板に設けた開封用の切目線を、天面板の両側縁間に２本交差するように配置すると共に、各切目線の切断方向の始端側を天面板の相対する側縁に位置させ、始端側から終端側へかけて途切れることなく切目線を切断できるように、切目線の切目の方向を設定したのである。また、前記開封用の切目線を、切断時に手前側となる方向から見て、膨出弧状となるように湾曲させたのである。
【発明の効果】
【０００９】
この発明に係る紙箱では、天面板を切り開いて開封する際、右利きの者及び左利きの者がそれぞれ手向きのよい切目線に沿って、その始端側から天面板を捲るように切断することにより、天面板を二つの部分に分割し、封緘用のテープ等を剥がすことなく、容易に開くことができ、切り取った紙片等のゴミが発生することもない。
【００１０】
また、切目線を湾曲させたことから、指の動きに応じた自然な開封性が得られるほか、機械での組立時に、天面板が切目線に沿って折れ曲がってしまう現象が防止され、機械適性が低下することもない。
【図面の簡単な説明】
【００１１】
【図１】この発明に係る易開封紙箱のブランクを示す図
【図２】同上の封緘状態を示す斜視図
【図３】同上の右手による開封過程を示す斜視図
【図４】同上の右手による開封状態を示す斜視図
【図５】同上の左手による開封過程を示す斜視図
【図６】同上の左手による開封状態を示す斜視図
【図７】同上のテープを剥がした開封状態を示す斜視図
【図８】同上の周壁を切断した展示状態を示す斜視図
【図９】従来の紙箱の天面板切断による開封状態を示す斜視図
【発明を実施するための形態】
【００１２】
以下、この発明の実施形態を添付図面に基づいて説明する。
【００１３】
この発明に係る紙箱は、菓子のダース単位の包装等に使用するものであり、図１に示すような板紙のブランクから形成される。このブランクでは、各一対の側面板１及び端面板２が交互に連設され、一方の側面板１の外側端には継代片３が連設されている。
【００１４】
各側面板１及び端面板２の下端には、それぞれ底面板４，５がそれぞれ連設され、各側面板１の上端には受止片６が連設されている。一方の端面板２の上端には天面板７が連設され、天面板７の先端には差込片８が連設されている。
【００１５】
そして、天面板７には、開封用の切目線９Ｒ，９Ｌが両側縁間に亘って２本交差するように配設され、各切目線９Ｒ，９Ｌにおける切断方向の始端側は、天面板７の相対する側縁に位置している。
【００１６】
また、これらの切目線９Ｒ，９Ｌは、切断時に手前側となる方向から見て、膨出弧状に湾曲し、鉤状の切目が断続するジッパ型のものとされ、始端側から終端側へかけて、途切れることなく切断できるように、切目の誘導部９ａが始端側に設けられている。
【００１７】
さらに、他方の端面板２の中間下部には、幅方向に延びるミシン目状の切目線１０ａが刻設され、これに連続して、両側面板１には、斜め上方へ延びるジッパ型の切目線１０ｂが刻設されている。また、天面板７と端面板２との境界には、切目線１０ｂに連続し、押罫と切目とが交互に断続する切目線１０ｃが刻設されている。
【００１８】
このブランクを組み立てて商品を包装するには、図２に示すように、各一対の側面板１及び端面板２を角筒状に折り曲げ、継代片３を反対側の端面板２に貼り付けて周壁を形成し、底面板４，５により底面を閉じ、箱内に商品を収納した後、受止片６を内側へ折り曲げ、天面板７を閉じて、差込片８を他方の端面板２と受止片６の間に差し込む。
【００１９】
このとき、差込片８の基端両側の切込と、受止片６の端縁の突出部とが係合し、天面板７は閉止状態にロックされるが、さらに封緘状態を確実なものにするため、テープ１１を天面板７の先端部から端面板２にかけて貼り付ける。
【００２０】
上記紙箱では、天面板７を切り開いて開封する際、図３及び図４に示すように、右利きの者は、一方の端面板２を手前とした状態で、右側から左側へ向かう手向きのよい切目線９Ｒに沿って、その始端側から天面板７を右手前の角を支点に捲るように切断する。
【００２１】
一方、左利きの者は、図５及び図６に示すように、上記と同様、一方の端面板２を手前とした状態で、左側から右側へ向かう手向きのよい切目線９Ｌに沿って、その始端側から天面板７を左手前の角を支点に捲るように切断する。
【００２２】
これにより、利き手が左右いずれであっても、天面板７を各端面板２に繋がった二つの部分に分割し、テープ１１を剥がすことなく、天面板７を容易に開いて、箱内から商品Ｇを取り出すことができ、切り取った紙片等のゴミが発生することもない。
【００２３】
また、切目線９Ｒ，９Ｌを湾曲させたことから、指の動きに応じた自然な開封性が得られるほか、グルアや充填機での組立時に、天面板７が切目線９Ｒ，９Ｌに沿って折れ曲がってしまう現象が防止され、機械適性が低下することもない。
【００２４】
ところで、この紙箱を、図２に示す封緘状態から、テープ１１を剥がして開封する際には、図７に示すように、通常どおり、差込片８を他方の端面板２と受止片６の間から引き抜き、天面板７を開けばよい。
【００２５】
また、店頭で商品Ｇを陳列する際には、図８に示すように、切目線１０ａ，１０ｂ，１０ｃを切断し、その上方部分を除去して、商品Ｇを露出させ、前側となる他方の端面板２の方向から商品Ｇがよく見えるようにする。
【００２６】
なお、上記実施形態では、切目線９Ｒ，９Ｌが弧状に湾曲したものを例示したが、充填機等の機械を使用しない場合には、切目線９Ｒ，９Ｌを、天面板７の側縁に対し斜めに延びる直線状のものとしてもよい。
【００２７】
また、周壁のコーナー部が直角をなす直方体状のものを例示したが、側面板１が縦方向の折目線に沿って中間部で折り曲げられ、周壁が六角筒状や八角筒状をなす紙箱にも、同様の開封構造を適用することができる。
【符号の説明】
【００２８】
１  側面板
２  端面板
３  継代片
４，５  底面板
６  受止片
７  天面板
８  差込片
９Ｒ，９Ｌ  切目線
９ａ  誘導部
１０ａ，１０ｂ，１０ｃ  切目線
１１  テープ
【図１】
2011079549.tif 000003
【図２】
2011079549.tif 000004
【図３】
2011079549.tif 000005
【図４】
2011079549.tif 000006
【図５】
2011079549.tif 000007
【図６】
2011079549.tif 000008
【図７】
2011079549.tif 000009
【図８】
2011079549.tif 000010
【図９】
2011079549.tif 000011